Podtech/llm-jp-corpus-v4-ja_patent huggingface dataset:
(57)【要約】      （修正有）【課題】従来ストッキング類では指先が開口した形状の物が知られているが、開口した部分に絵柄を施したものは知られず、年齢層、性別に限定されたペディキュア用に供用のみされて居た。【解決手段】開口した足指袋部分に絵柄（文字を含む）を施す事で年齢層、性別に限定される事無くファッション性能、足指の生理機能を改善する事が出来る。【選択図】図−２
2009185432.tif 000002
【特許請求の範囲】
【請求項１】
開口した足指袋部分に絵柄の在るストッキング
【発明の詳細な説明】
【発明の詳細な説明】
【技術分野】
【０００１】  本発明は、開口した足指袋部分（トウ部）に絵柄（文字を含む）の在るストッキング（パンティストッキングを含む）に関するものである。
【背景技術】
【０００２】  従来のストッキングでは、足の指先（トウ部）全体を保護するか又は指袋（トウ部）を２〜５本指として開口するか或いは開口せずに指袋部分の透明度を上げてペディキュア用等を施す事を目的とした先行技術が知られ市販もされて居る。【０００３】  しかし乍、特にペディキュア用に利用される５本指袋を開口したストッキング等では利用者の範囲が女性用に限定され、更にペディキュアを施す年齢層の利用目的に限定されて居る。
【発明が解決しようとする課題】
【０００４】  本発明は、性別や年齢層或いはストッキング等の生地種類に関係無くファッション等を楽しみ、足指の生理機能を向上しながら使用出来るストッキング等を提案するものである。
【課題を解決するための手段】
【０００５】  本発明は、開口した足指袋先端部分から任意の幅で絵柄（文字を含む）を取付けて目的を達成する。開口部分はペディキュア用であれば爪部分から指股までを任意の幅で開口し、ペディキュア用に利用しない場合には爪先前部分のみを開口し、或いは指袋を指股まで開口する。絵柄の幅は開口した先端部分から（１〜２０ｍｍ程度）指股迄でも良く、通常は開口した先端部分から２〜１０ｍｍ程度が好ましい。開口箇所は５本指全体か一部（４本指から１本指）でも良く、絵柄の取付け箇所も５本指全部か又は一部でも良い。
【０００６】  絵柄（文字を含む）は好みの写真・風景画・花模様等の自然画で、文字は名称・自己の名前・標章・企業名・団体名・記号や商標或いはスポーツ記号等でも良く、色彩は限定されない。絵柄等の取り付け方法は編成時に先染め糸を使用するか、編成後に捺染・染色等の後染めや印画されたテープ類（切抜き絵を含む）アップリケ等を接着剤で固着しても良く或いは刺繍等を用いても良い。又絵柄の材質は天然・化学合成品・無機金属・有機物の色素の単独か組合せでも良い。更に絵柄に生理的薬用成分を配合する事には拘らない。
【０００７】  ストッキング等とはパンティストッキングやソックス等でガータータイプ、メッシュタイプ、カバコをも示し、指袋は５本〜１本指にするか分かれていない靴下或いは男性用、子供用の靴下類も含み、指股まで開口した形態では指股でストッキング等のズレ防止機能を持ち、生地はナイロン・ウレタン等の合成繊維や綿類又は絹類等の天然繊維類の単独又は混紡を包含する。色目はベージュ、キサス、ナッティ、サンドベージュブラック、ナイルグレー、ペルシャンやホワイト、原糸色、柄物等従来知られている物で良く、メッシュタイプやレッグ、パンティ部に絵柄を入れた物でも良い。更にはつま先が補強トウ、ヌードトウ形態の物も含まれる。原糸は伸縮機能を持つサポーティタイプを含み、その太さも５〜７０デニール等の既知の物を使用して良い。
【発明の効果】
【０００８】  以上の様な内容で実施すれば、性別、年齢層、使用生地に関係なく好みの範囲を広げてファッション性を高め、指出しの生理的性能を向上させ尚且つ機能性を向上させたストッキング等を得る事が出来る。
【発明を実施するための最良の形態】
【０００９】１はストッキング（又はパンティストッキング）を構成するレッグからトウ部、２はトウ部の開口部分。絵柄は例示された内容に限定されない。
【図面の簡単な説明】
【００１０】
【図−１】本発明のレッグ・トウ部の図面
【図−２】本発明のトウ部指袋開口部分
【符号の説明】
１、３−  レッグ部、トウ部
２−      トウ部指袋開口部分
２ａ−１−足指袋中間部の開口部
２ｂ−１−足指袋中間部の絵柄例
２ａ−２−足指股での開口部
２ｂ−２−足指股での絵柄例
【図−１】
2009185432.tif 000003
【図−２】
2009185432.tif 000004
(57)【要約】      （修正有）【課題】高気密高断熱住宅では、湿度の低下により過乾燥となりウイルス等が繁殖しやすい環境となる原因となっていた。また肌荒れや気管支への悪影響もでる原因となっていた。【解決手段】過乾燥時に浴室１に設置している換気扇11よりダクト12を介して小屋裏２へ浴室の湿った空気を送り込み、湿気は湿度の高いところから湿度の低い方へ移動する性質を利用し各居室に設けたレジスター13を介して居室に設けたレジスター13を介して建物内を自然に加湿させる。【選択図】図１
2009185567.tif 000002
【特許請求の範囲】
【請求項１】
浴室の換気扇を過乾燥時にダクトを介して湿気を小屋裏へ強制的に送り込み小屋裏より各居室をとおり建物内の過乾燥を防ぐことを特徴とする加湿方法。
【発明の詳細な説明】
【技術分野】
【０００１】
本発明は、高気密高断熱建築物の加湿方法に関する。
【背景技術】
【０００２】
近年の建築物は、居住性の向上、省エネルギー化の向上の為、高気密高断熱住宅とし、シックハウスの問題により建築基準法の改正で換気量重視型の換気システムとなっている。
【０００３】
過乾燥時に各居室に加湿器を設置し対応している。
【発明の開示】
【発明が解決しようとする課題】
【０００４】
高気密高断熱住宅では、湿度の低下により過乾燥となりウイルス等が繁殖しやすい環境となる原因となっていた。また肌荒れや気管支への悪影響もでる原因となっていた。
【課題を解決するための手段】
【０００５】
請求項１の発明においては過乾燥時に浴室１に設置している換気扇11よりダクト12を介して小屋裏２へ浴室の湿った空気を送り込み、湿気は湿度の高いところから湿度の低い方へ移動する性質を利用し各居室に設けたレジスター13を介して建物内を自然に加湿させる。
【発明の効果】
【０００６】
本発明により過乾燥時に適度な湿度を保つことができるようになりウイルス等の繁殖を防ぐことと肌荒れや気管支への悪影響を防ぐことを目的とする。
【発明を実施するための最良の形態】
【０００７】
以下、本発明の実施の形態を図面にもとづいて説明する。
図1は、高気密高断熱建築物の加湿方法の概略図である。
【０００８】
ここで本発明における加湿方法について図１に従い順序に説明いたします。
【０００９】
浴室１に設置している換気扇11によりダクト12を介し小屋裏２へ浴室の湿った空気を送ります。
【００１０】
このとき、浴室１に設置している換気扇14は停止いたします。
【００１１】
小屋裏２へ送られた湿った空気は居室に設置されたレジスターから各居室へ自然に流れて行きます。
【００１２】
乾燥している建物内が加湿器などを設置しなくても過乾燥を防ぐことが出来た。
【図面の簡単な説明】
【００１３】
【図１】本発明における加湿システムの基本概念図である。
【符号の説明】
【００１４】
１…浴室、１１…加湿用換気扇、１２…ダクト、１４…浴室換気扇（通常）
２…小屋裏、１３…レジスター
【図１】
2009185567.tif 000003
(57)【要約】【課題】  積雪地域において、除排雪の雪を同じ寸法の四角いブロック状に簡単に切り出せる雪ブロック用スコップを提供する。【解決手段】  スコップ本体の底板面の幅と同程度の高さを有する左右の側板面を、わずかに外側に開いた状態で略コの字型に形成する。  左右の側板面の上端の一部を残し、底板面から立設している後板面に向けて上方から斜めにカットしたことを特徴とする雪ブロック用スコップ。【選択図】図２
2009185591.tif 000002
【特許請求の範囲】
【請求項１】
除排雪用スコップにおいて、スコップ本体の底板面の幅と同程度の高さを有する左右の側板面の上方を、わずかに外側に開いた状態で略コの字型に形成し、前記左右の側板面の上端の一部を残し、前記底板面から立設している後板面に向けて上方から斜めにカットしたことを特徴とする雪ブロック用スコップ。
【請求項２】
前記スコップ本体の底板面と左右の側板面に、複数個の切欠き穴を設けた請求項１の雪ブロック用スコップ。
【発明の詳細な説明】
【技術分野】
【０００１】  本発明は、積雪地域において除排雪の雪を同じ寸法の四角いブロック状に簡単に切り出せる、雪ブロック用スコップに関するものである。
【背景技術】
【０００２】  積雪・豪雪地帯においては半年近くに亘って、道路の除排雪や屋根の雪下ろし作業が必要になるが、厳寒期の重労働であり、危険を伴う作業でもある。
また、道路端に雪を捨てる場合にも、手前側は低く奥に向かってなだらかに山なりに堆積されるために、道路幅が狭くなり堆積容量も少なくなるという問題もあった。
従来の除排雪用スコップには、雪質に対応したもので材質が金属製か樹脂製が多く、その先端部分の形状や、柄の部分に工夫を凝らした物が数多く開発されている。
これらは、雪をすくって投げるという事を主目的としており、雪を同じ寸法の四角いブロック状に切り出すという使用目的には不向きであった。
【発明の開示】
【発明が解決しようとする課題】
【０００３】  従来の除排雪用スコップで雪を四角いブロック状に切り出すためには、前後左右、下からと４〜５回スコップを操作しなければならず、連続的に切り出す場合でも最低３回の作業動作を要し、尚且つ、形状や大きさが不揃いになるという問題があった。
数ヶ月にも亘る除排雪や屋根の雪下ろし作業は体力を必要とする重労働であり、危険を伴う作業でもあるが、現実にはこのような地域ほど過疎化が進んで高齢者が多く、厳しい冬期間の除排雪作業は大きな社会問題となっている。
スコップの操作回数が半分で済み、同じ寸法の雪ブロックが簡単に切り出せれば作業効率も上がり、１回の排雪量もほぼ一定になるので作業者にとっては負担が軽減される。
本発明は以上の問題を解決し、高齢者等の作業者が自分の体力に適したスコップサイズを選択できる、雪ブロック用スコップを提供しようとするものである。
また、冬季イベントの雪像作りにおいても、石垣状に積み上げることが容易になる。
【課題を解決するための手段】
【０００４】  除排雪用スコップ本体の、底板面の幅と同程度の高さを有する左右の側板面の上方をわずかに外側に開いた状態で略コの字型に形成し、前記左右の側板面の上端の一部を残し、前記底板面から立設している後板面に向けて上方から斜めにカットしたことを特徴とする雪ブロック用スコップである。
【発明の効果】
【０００５】  本発明は、道路の除排雪や屋根の雪下ろしに際し、従来のスコップの半分程度の操作回数で簡単に雪を同じ形状・大きさの四角いブロック状に切り出せる。
左右側板面の斜めカットや、スコップ本体板全面に切り欠き穴を設けて軽量にできる。
一回に切り出す雪の容量が設定できるので、体力に応じたスコップサイズを選べる。
雪が四角いブロック形状のため、雪捨て場の狭い場所でも効率よく堆積できる。
雪祭りや冬季イベント等の雪像用ブロック作りにおいても最適である。
側板面が外側に若干開いた略コの字型なので、数量が多くても収納時に重ね入れができる。
【発明を実施するための最良の形態】
【０００６】  以下、本発明の実施の形態を説明する。
スコップ本体（１）と柄部（２）と把手部（３）とからなる除排雪用スコップにおいて、スコップ本体（１）の底板面（４）の幅と同程度の高さを有する左右の側板面（５）を、わずかに外側に開いた状態で略コの字型に形成する。  左右の側板面（５）の上端の一部を残し、底板面（４）から立設している後板面（６）に向けて上方から斜めにカットする。
【実施例２】  スコップ本体（１）の底板面（４）と、左右の側板面（５）に複数個の切欠き穴（７）、（７）を設ける。
本発明は以上の構成からなっている。
本発明を使用するときには、雪面に対して上から突き刺してコの字型に切り込みを入れ、次に手前下から差し込んで持ち上げる２回の操作で、簡単に雪を同じ寸法の形状で四角いブロック状に切り出せる。  また、雪塊が対象なので作業上不要な部分をカットし、スコップ本体の底板面及び、左右の側板面に複数個の切欠き穴を設けて軽量にした。
高齢者でも体力に合わせた処理能力でスコップサイズを選択できる。
備品として数量が多くても、収納時に重ね入れできるのでかさばらない。
【図面の簡単な説明】
【０００７】
【図１】請求項１記載の本発明の斜視図
【図２】請求項２記載の本発明の斜視図
【符号の説明】
【０００８】  １    スコップ本体
２    柄部
３    把手部
４    底板面
５    側板面
６    後板面
７    切欠き穴
【図１】
2009185591.tif 000003
【図２】
2009185591.tif 000004
(57)【要約】      （修正有）【課題】排水管の点検口蓋を、簡単な構造で施錠できるようにすることで、安全を確保する。【解決手段】先ずパイプ１の開口部に蓋本体２を接着する。次に蓋３を蓋本体２に嵌め込み、蓋３の溝に位置決め板４を嵌め込み施錠できるようにすることで、いたずら防止をする。このように簡単な金型で部材を提供できたので安価に製品を提供できる。【選択図】図２
2009185592.tif 000002
【特許請求の範囲】
【請求項１】
排水用塩化ビニール管の任意の場所の点検用の口に液体、気体が漏れ出さないようにシール性の蓋をするために、蓋本体と蓋と位置決め板とゴムリングと数本のボルトネジから構成する部品を用いて蓋をする。その蓋本体と蓋の表面に溝を作り、その溝に位置決め板を装着し、ネジで蓋に締め付け、更に施錠を可能とする穴をツマミに作り南京錠等を装着出来るようにした物である。
図（１）、（図２）、（図３）は本発明の詳細図である。
【発明の詳細な説明】
【０００１】この発明は塩化ビニール管における内部の付着物を掃除の為に設けられた点検口に外部からいたずらで異物をほうり込まれたり、排水管が異常を来さないように施錠を可能とする蓋である。
【背景技術】
【０００２】従来は塩化ビニールの蓋は蓋本体の内側にネジを切り、それをパイプに接着し、更に蓋にもネジを切り  、蓋本体にねじ込んだだけであった。その為に誰でも簡単に開けることが出来たものである。
近年社会の多様化に伴って排水点検口から異物が放り込まれて途中で管が詰まり、汚水が外に溢れる事件が報告されているので  施錠が可能な蓋を提供する物である。
【発明の詳細な説明】
【０００３】構成は  ▲２▼−蓋本体▲３▼−蓋▲４▼−位置決め板▲６▼−ゴムリング▲５▼−締め付けビスの５種類の部品で構成するものである。
▲２▼−蓋本体と▲３▼−蓋には爪を図１の如く任意の角度分だけ均等に設置する
▲２▼−蓋本体に▲３▼−蓋を爪のない部位から挿入し▲２▼−蓋本体と▲３▼−蓋の爪がお互いに重なり合う位置に▲３▼−蓋を回す。爪同士が重なった位置で▲２▼−蓋本体と▲３▼−蓋に▲４▼−位置決め板がはめ込めるだけの切り込みを作りその切り込みに▲４▼−位置決め板を装着後▲５▼−締め付けビスで▲３▼−蓋に▲４▼−位置決め板を締め付ける。  その位置でツマミ部の穴が一直線に並ぶのでその穴に南京錠等をつけることが出来る物である。
▲３▼−蓋を取るときには錠をはずして  ▲５▼−締め付けビスを取り外した後で▲４▼−位置決め板を取り外し、▲３▼−蓋を所定の角度だけ回転させお互いの爪が抜き方向に緩衝しない位置で引き抜けばはずせるものである。
シール性はゴムリングを図２の▲３▼−蓋のゴムリング装着溝にはめ込んであり  ▲２▼−蓋本体と▲３▼−蓋に密着しているので水や気体が漏れる事はない。
図（１）の▲１▼−化ビニール管の端末に▲２▼−蓋本体を接着し、蓋を取り付ける材質は▲２▼−蓋本体▲３▼−蓋は樹脂とし  ▲４▼−位置決め板は樹脂又は金属とする
【発明の効果】
【０００４】この蓋を取り付けて於けば、簡単には蓋をはずすことは無理であるのでいたずらで排水口から物をいれられる事を防止できる物である。
【図面の簡単な説明】
【０００５】
【図１】発明部品の組図の側面図と断面図と斜視図である。
【図２】発明装置の各部品の断面図である。
【図３】発明装置の  各部品の斜視図である。
【符号の説明】
【０００６】▲１▼  塩化ビニール管
▲２▼  蓋本体
▲３▼  蓋
▲４▼  位置決め板
▲５▼  締め付けビス
▲６▼  ゴムリング
【図１】
2009185592.tif 000003
【図２】
2009185592.tif 000004
【図３】
2009185592.tif 000005
(57)【要約】【課題】道路反射鏡に対象車の距離と速度を推測するための尺度を備えることは出来ないか？【解決手段】鏡面に経緯線を設け推測の尺度として利用する。【選択図】図２
2009185593.tif 000002
【特許請求の範囲】
【請求項１】
鏡面上に経緯線や図形等が設置されており、それらを鏡面上の実際の映像と対比観察させることにより対象車との遠近の距離とその速度の認識に役立てる道路反射鏡。
【請求項２】
前記請求項１の経緯線や図形等を反射輝度の高い塗料、反射材、蛍光材などで鏡面上に形成し夜間においても使用に供する道路反射鏡。
【請求項３】
前記請求項１、および請求項２の鏡面に文字や図形等を施し運転者の注意を喚起する道路反射鏡。
【発明の詳細な説明】
【技術分野】
【０００１】本発明は交差点に設置される道路反射鏡、並びに屋内、屋外にて用いられる監視ミラー、安全ミラー、並びにその製造方法に関する。（註：道路反射鏡はカーブミラーとも通常呼ばれるので本願書の記述で反射鏡とミラーは同義と解釈されたい）
【背景技術】
【０００２】従来の道路反射鏡は建物などに視界が遮られた見通しの悪い道路側面に設置されている。平面鏡もあるが殆んどは凸面鏡構造で、材質は樹脂、ステンレスなどで鏡面のサイズはさまざまで最近は屋内、屋外で使用される保安用のものも多い。
【発明が解決しようとする課題】
【０００３】従来の道路反射鏡の凸面鏡構造は限られた鏡面上に広い視野を取り込むのは利点であるが大きな欠点はその映像が我われの通常行なう目視に比べてきわめて歪曲（デフォルム）されたものとなることである。すなわち、遠方の物体の映像は実際よりきわめて小さく、近くの物体の映像は実際より大きく写しだされる。従って物体の移動速度も同様に歪曲され通常の肉眼による目視の感覚からかけ離れたものとなる。よってこの種のミラーによる的確な確認作業は動体認知と運動神経に優れた若年の運転者といえども容易ではない。信号機のある交差点と相違し的確な自己判断を要求されるこの種の交差点での事故が多いのはこのためである。問題解決に考えられる方法は通常の感覚に近い映像を提供する大型の平面鏡の採用であろうが設置する場所に制約があり実現は不可能であり、またカーナビゲーションシステムを利用する電波発信装置を交差点に設置し接近する相手車輌を認識する装置（特願平１０−１５５５９）等の開発が試みられているが付帯設備のコストも高く実現にはほど遠いのが現状である。
【課題を解決するための手段】
【０００４】よって本案は従来のミラーに改良を加えて、より効果的、かつ実用的な新規な構造のミラーを提供する。コストもかからない。すなわち鏡面の表面に［図１］に示すような複数の径線と緯線を設ける。
【０００５】経線の幅は鏡面の屈折率を勘案して中心部は広く外縁部は狭くするものとし中央部には鏡面の中心を示す円形像を設ける。
上述の構造により対象車輌との遠近と車輌の速度の推定に供する一応の尺度を道路反射鏡の鏡面上に初めて設置することになる。このことは従来の単なる鏡面像、すなわちなんらの尺度も図形も有しないミラーと比較すれば有益性は明白である。
【発明の効果】
【０００６】以下に具体例をあげて発明の効果について説明する。［図２］の鏡面外縁部に写る車輌（Ａ）はまだ遠方である。しかしスピードがあればたちまち交差点にさしかかり（Ａ’）のごとき大きな映像で交差点を通過する。この車輌の運動速度は鏡面上に描かれている３本の経線を横切って交差点に近づく車輌の鏡面像を観察することにおいて推測できる。よってこの車輌が通過するまで交差点は横切れないという判断ができる。
【０００７】他の事例について［図３］で説明する。鏡面左方の外縁部に一台の車輌（Ｂ）を確認した。数秒後、その位置はまだ（Ｂ’）地点であるので運動速度はかなり遅いことが確認できた。よって、この車輌が交差点に到達する前に観察者は交差点通過が可能との判断ができる。これらの判断が従来の鏡面像に比べてより具体的になされるのは鏡面を縦割りに分割し設置した経線のもたらす効果である。
【発明を実施するための他の形態】
【０００８】またこれら鏡面上に経緯線を設ける構造は監視カメラを併用する屋内平面ミラー、安全ミラー等に用いても映像個所の特定において大きな効果を発揮する。
【０００９】また上述の経緯線を反射輝度の大きい塗料、反射材、蛍光材などで形成すれば夜間時の使用にても効果を発揮する。
【００１０】次に［図４］はミラー鏡面に文字を設けて運転者の注意を喚起する［請求項３］に関する説明である。例えば急坂や急カーブの道路には通行車輌に警告する表示が必要である。そのような個所のミラー鏡面に（急坂注意）または（急カーブ注意）等の文字をプリントしたものを設置することが可能になる。文字面の標識を別途に設置する必要もなくコストも軽減できる。
【００１１】交差点に設置されるミラーの運転者までの距離は通常４〜７メートルと観察されるので鏡面の経緯線は２ミリから３ミリもあれば目視で確認できる。それ以上の経緯線の幅は鏡面を狭めるし、また鏡面を煩わしくするので望ましくないと考えられる。またミラー天頂部付近の鏡面は空や風景を通常映すので経緯線は省略してもよいと考えられる。また文字等をプリントするには鏡面の重要部から離れたこの部分が適当と考えられる。
【００１２】多くの交差点を観察するに交差点の状況は双方通行路、一方通行路、直線道路、屈曲路など様々である。多様の形状の製品を準備し、その場面のそれぞれに最適の形態の反射鏡を選択し、最善の効果を得られるように設置することが重要な作業であることは言うまでもない。
【産業上の利用の可能性】
【００１３】この種の構造の道路反射鏡の出願は見当たらないので海外諸国においても採用の可能性がある。
【図面の簡単な説明】
【図１】は経緯線が設けられた道路反射鏡の正面図である。
【図２】は反射鏡鏡面における一場面の説明図である。
【図３】は反射鏡鏡面における一場面の説明図である。
【図４】は鏡面に文字を表示した反射鏡正面図である。
【符号の説明】
【００１４】１    鏡面
２    緯線
３    経線
４    鏡面中心図形
５    道路センターライン
Ａ    対象車
Ａ’  対象車
Ｂ    対象車
Ｂ’  対象車
【図１】
2009185593.tif 000003
【図２】
2009185593.tif 000004
【図３】
2009185593.tif 000005
【図４】
2009185593.tif 000006
(57)【要約】      （修正有）【課題】既存建築物の内側断熱工事を容易に施工できる方法を提供する。【解決手段】断熱材４をレール５に取り付け、さらにれレール５を留め金３に取り付ける。そしてこの組み合わせた構造物をＬ型構造物１に取り付ける。留め金３が有する形状３ａにより、Ｌ型構造物１に対して構造物全体が保持され、同時に断熱材４も保持される為、建築物に対して断熱材４が取り付けられる。【選択図】図３
2009185595.tif 000002
【特許請求の範囲】
【請求項１】
建築物に、内側断熱工事を容易に施工することができる方法。
【発明の詳細な説明】
【技術分野】
【０００１】  本発明は、既存のＬ型構造物に対して簡単に、かつ短時間に断熱処理を実施できる方法を提案するものである。
【背景技術】
【０００２】  現在、工場や倉庫などの建築物に対して、内部温度を保つためにさまざまな断熱工事や断熱処理が考案されたり実施されたりしている。しかしその多くは専門業者による施工が必要であり、また施工時間が長時間必要となるものもある。断熱処理を施した建築材も流通しているが、既存の建築物に対して取り替えるためにはやはり工事が必要である。このため、工場や倉庫の使用、作業に支障をきたすこともある。
【発明の開示】
【発明が解決しようとする課題】
【０００３】［０００２］で述べた問題点を解決するために、建材加工や接着加工といった専門的な工事を実施することなく、また、短時間で断熱処理を簡単に施工できる方法を提供しようとするものである。そのために本発明では、現状の設備や建材に手を加えるのではなく、板形状の断熱材に留め金を取り付け、内側から直接固定する方法をとっており、専門知識や技能がなくても工事できることを特徴としている。
【発明を実施するための最良の形態】
【０００４】次に図１から図４により発明の実施の形態を説明する。【０００５】図１により、断熱工事の断面図を示す。なお、１は屋根部を構成するＬ型構造物で、２は屋根である。３は留め金であり、Ｌ型構造物１を挟み込み、留め金自体が外れないような形状を有する。４は断熱材である。５は断熱材４を挟む為のレールであり、留め金３はこのレールを保持することで断熱材４を固定することとなる。同時にレール５は、隣り合う断熱材４の隙間を埋める役割を果たしている。
図２は図１の状況を下面側より見たものである。留め金３は、Ｌ型構造物１、断熱材４、レール５を同時に保持している。留め金３は図５にて展開図を示す。
図３より留め金３の使用方法について説明する。留め金３は３ａに示す鋸刃形状をもち、３ｂ及び３ｃに示すコの字形状を両側にもつ。３ａは建材１に取り付けた際に、脱落を防止する役割をもつ。
３ｂ及び３ｃはレール５を保持する役割があり、レール５は断熱材４を保持出来る形状である。
断熱材４をレール５に取り付け、さらにレール５を留め金３に取り付ける。これにより留め金３、断熱材４及びレール５は組み合わされるものである。図４に示すように、組み合わせた構造物を、Ｌ型構造物１に取り付ける。
この際、留め金３が有する形状３ａにより、Ｌ型構造物１に対して構造物全体が保持され、同時に断熱材４も保持される為、結果として建築物に対して断熱材が取り付けられるものである。
以上の作業を繰り返すことにより、断熱工事が容易に施工されるものである。
【発明の効果】
【０００６】  ［０００５］で記述した工事方法における最大の利点は、現状の屋根や壁に直接手を加えることなく、また特殊な工具や接着剤などを用いることなく、簡単に短時間で内側断熱工事が施工できる点である。現状の建築物・建材に手を加えない為、工事期間を大幅に短縮でき、同時に工事費用の大幅な削減も期待できる。
また、断熱材は現在一般に市販・使用されているものを使うため、断熱効果も既存の工事方法と同等の効果が見込めるものである。また、図１で示すとおり、断熱材４は、屋根や壁と直接接する事がなく、間に空気層が存在するため、高い温度維持効果が期待できる。
【図面の簡単な説明】
【０００７】
【図１】本発明における工事の断面図である。
【図２】本発明における工事の下面図である。
【図３】〔図４〕本発明の作業手順である。
【図５】留め金３の正面図、背面図、上面図、下面図、側面図である。
【図１】
2009185595.tif 000003
【図２】
2009185595.tif 000004
【図３】
2009185595.tif 000005
【図４】
2009185595.tif 000006
【図５】
2009185595.tif 000007
【手続補正書】
【提出日】平成20年4月25日(2008.4.25)
【手続補正１】
【補正対象書類名】明細書
【補正対象項目名】０００７
【補正方法】変更
【補正の内容】
【０００７】
【図１】本発明における工事の断面図である。
【図２】本発明における工事の下面図である。
【図３】本発明の作業手順である。
【図４】本発明の作業手順である。
【図５】留め金３の正面図、背面図、上面図、下面図、側面図である。
(57)【要約】【課題】    水面上に浮く形態で、浮、歯車、水中抵抗板兼垂直重量板等で構成する波力回転装置を提供する。【解決手段】    支柱間の上方に動力回転軸を設け、その動力回転軸に一方向回転歯車・フライホイール・動力伝達車を設ける。支柱間上下の中間に回転片軸を設け、その回転片軸に回転片を設け、その回転片の両端に浮を設け、その回転片の両端を支点に回転片の回転運動を往復運動に変換する平面歯付き片一対を設ける。支柱間下方に水中抵抗板兼垂直重量板を設けて、その回転力を動力伝達車で取り出すことができるように構成した。【選択図】図１
2009185797.tif 000002
【特許請求の範囲】
【請求項１】
支柱間上部に動力回転軸を両端に２個の軸受ベアリングを介して設け、その動力回転軸に一方向回転歯車・フライホイール・動力伝達車の各部材を設け、支柱間下部に水中抵抗板兼垂直均衡重量板を設け、支柱間上部と下部の真中に回転片軸を設け、その回転片軸に回転片を設け、その回転片の両端に浮・支点受具・平面歯付き片の各部材を一対設けたことを特徴とする波力回転装置。
【発明の詳細な説明】
【技術分野】
【０００１】  本発明は、水面上に発生する波の上下運動を浮の浮力と落下重力を機械的回転運動に変換して、その回転力を供給するものである。
【背景技術】
【０００２】  従来、波の上下運動を弁の開閉で、又ピストンの往復運動で空気流を作り羽根車を駆動するものがあった（特許文献１参照）。それにジャイロモーメントを利用して回転を発生するものもあった（特許文献２参照）。
【特許文献１】  特開２９４７７１４
【特許文献２】  特開２００５−２０７３３２
【発明が解決しようとする課題】
【０００３】  そのために、次のような問題点があった。
（イ）空気は圧縮率が大きく、又空気流で羽根車を駆動するにも、スベリ損が大きく効率が悪い問題があった。
（ロ）ジャイロモーメント方式では、この文献にも示しているように、大容量出力には適応に難があった。
本発明は、これらの問題点を解決するためになされたものである。
【課題を解決するための手段】
【０００４】  支柱間上部に動力回転軸を両端に２個の軸受ベアリングを介して設け、その動力回転軸に一方向回転歯車２組・フライホイール・動力伝達車の各部材を設ける。支柱間の上部と下部の真中に回転片軸を設け、その回転片軸に回転片一対を設け、その回転片の両端に波の上下運動で浮力を発生させる浮を設け、その回転片の両端を支点にして、回転片の回転運動を往復運動に変換する平面歯付き片一対を設ける。支柱間下部に動力回転軸を平面歯付き片で駆動すると、支柱に発する回転軸を防ぐと共に、動力回転軸の駆動力増加のための水中抵抗板と、この装置の垂直維持のために垂直重量板を兼用した板を設け、支柱両側に浮を設ける。
以上を特徴とし、真中から下部を水中に入れた形態で、波の上下運動を回転運動に変換する、波力回転装置である。
【発明の効果】
【０００５】  水面上に、装置が半分浮く形態で、波の上下運動を浮の浮力と落下重力の相方を機械的に回転運動から往復運動、そして回転運動に変換するため、従来方法の波の上下運動を弁の開閉及びピストンの往復運動で空気流を作る方法に比べ、圧縮損失、スベリ損失がないことで変換効率が良い。
従来は不動体に固定する装置の発明が多く、設置場所の選択に苦慮するところであったが、本発明では、水面に浮く形態で移動性に勝れていて、しかも海での潮の干満差にも対応できる。
又、ジャイロモーメント方式では、出力の大容量化に難があるが、本発明では出力の大容量化は構成が同じでも大型化で対応できる。
【発明を実施するための最良の形態】
【０００６】  以下、本発明の実施形態を図に基づき説明する。
（イ）支柱（９）の柱間の上部に動力回転軸（８）を両端に２個の軸受ベアリング（７）を介して、その動力回転軸（８）に一方向回転歯車（５）２組・フライホイール（４）・動力伝達車（６）の各部材を設ける。
（ロ）支柱（９）の柱間の上部と下部の真中に回転片軸（１０）を設け、その回転片軸（１０）に回転片軸取り付具（１１）を用いて、回転片（１２）を設け、その回転片（１２）の両端下側に浮（２）を設ける。
（ハ）回転片（１２）の両端上側に支点受具（１）を左右相違の片隅に設ける。
（ニ）支点受具（１）を介して、平面歯付き片（１３）を一方向回転歯車（５）２組を個々に挟むように一対設ける。
（ホ）平面歯付き片（１３）は平面的に歯を直線上に設けた、２片の部材で作り、歯型を内側に向き合うようにして、間隔片（１３）で組付けた構造である。
（ヘ）支柱（９）の柱間下部に水中抵抗板兼垂直重量版（１４）を設ける。
本発明は、以上のような構成で、これを使用するときは、この装置を水中に真中まで沈んだ形態にして、浮（２）で波の上下運動で発生した、浮力と落下重力の相方を回転片軸（１０）を軸に回転片（１２）を上下に回転運動させる。
回転片（１２）の回転運動を支点受具（１）を介して、平面歯付き片（１３）の往復運動に変換する。
平面歯付き片（１３）の往復運動を一方向回転歯車（５）を駆動し、動力回転軸（８）を一方向に回転させる、このとき支柱（９）が反動力で回転力を受けることから、水中抵抗板兼垂直重量板（１４）で反動力を押えると共に装置の重心を安定させ、動力回転軸（８）の回転駆動力を増加させる。
動力回転軸（８）の回転力は、波の高低巾により、回転力が不安定であることからフライホイール（４）により安定化させる。
支柱を中心に装置を半分浮く形態にするために、支柱の両外側真中に浮（１５）を設ける。
この回転力を利用するには、動力伝達車から、船舶の推進装置に、海上に保留等して、発電装置、圧縮ポンプ等に供給する。
【図面の簡単な説明】
【０００７】
【図１】  本発明の斜視図
【符号の説明】
【０００８】  １  支点受具                    ９  支柱
２  浮                        １０  回転片軸
３  間隔片                    １１  回転片取付け具
４  フライホイール            １２  回転片
５  一方向回転歯車            １３  平面歯付き片
６  動力伝達車                １４  水中抵抗板兼垂直重量板
７  軸受ベアリング            １５  支柱浮
８  動力回転軸
【図１】
2009185797.tif 000003
(57)【要約】【課題】車輌本体にセラミックを内蔵した容器を提供する。【解決手段】車輌の燃料タンク燃料がセラミックを内蔵した容器内を設け、そのセラミック内蔵容器内を燃料が通過することにより、燃料消費量が軽減されることを特徴とする構造の、車輌用セラミック燃料濾過装置。【選択図】図１
2009185798.tif 000002
【特許請求の範囲】
【請求項１】
車輌本体に燃料タンクを設け、燃料をセラミック内蔵の容器内を通過させる。その燃料を使用し、エンジンを駆動燃焼させることにより燃料消費量が従来より軽減される構造の車輌用セラミック燃料濾過装置。
【発明の詳細な説明】
【技術分野】
【０００１】本発明は車輌の燃料を軽減するためにセラミックを内蔵した装置に関するものである。
【背景技術】
【０００２】従来は燃料を動力源とし、車輌に設置された燃料タンクより供給管を通ってエンジンへ燃料が供給され、車輌を駆動させていた。
【発明の開示】
【発明が解決しようとする課題】
【０００３】そのために次のような問題点があった
（イ）従来は燃料を動力源とする車輌は車体取り付けのタンク内に入っている燃料を燃料供給管を通過してエンジンを回転させ、駆動させていた。そこには、何ら燃料消費量を軽減することができなかった。
（ロ）本発明は、以上の問題点を解決するためになされたものである。
【課題を解決するための手段】
【０００４】車輌の車体に、燃料タンクよりエンジンまでの通過途中にセラミック内蔵の容器内を燃料を通過させることにより燃料消費量が軽減される、セラミック燃料濾過装置である。
【発明の効果】
【０００５】本発明は燃料にて駆動する車輌などの燃料消費量を従来よりも軽減する。
【発明を実施するための最良の形態】
【０００６】以下、本発明の実施形態を説明する。
（イ）車輌（１）を貯蔵する燃料タンク（２）を設け、燃料タンク（２）内より燃料（３）が通過する燃料供給管（４）を通過してきた燃料（３）をセラミック（６）を内蔵したセラミック内蔵容器（５）を設ける。
（ロ）セラミック内蔵容器（５）内を燃料（３）が通過し、エンジン（７）へ供給する。
（ハ）エンジン（７）へ供給された燃料（３）が車輌（１）のエンジン（７）を駆動させることにより、燃料消費量が軽減される。
【図面の簡単な説明】
【０００７】
【図１】本発明の側面図
【図２】本発明の平面図
【符号の説明】
【０００８】１．車輌
２．燃料タンク
３．燃料
４．燃料供給管
５．セラミック内蔵容器
６．セラミック
７．エンジン
【図１】
2009185798.tif 000003
【図２】
2009185798.tif 000004
(57)【要約】【課題】湿布薬は、肩、背中、腰等に一人で貼れない欠点があり、誰かに貼ってもらわなければならないという煩わしさがあった。【解決の手段】湿布薬は身体に貼ると言う固定概念を変えて、肌着（４）等の裏に貼れる様に、湿布の裏面の基布面（２）に両面テープ等で粘着面（１）を作る事によって、課題を解決した。【選択図】図４
2009185013.tif 000002
【特許請求の範囲】
【請求項１】
湿布の裏面の基布面（２）に粘着面（１）を作り肌着（４）等の裏に貼る事が出来る湿布
【発明の詳細な説明】
【技術分野】
【０００１】本発明は、肌着に貼る湿布に関する。
【背景技術】
【０００２】従来の湿布薬は、肩、背中、腰等に貼るときには、当人が貼ることができないので、他人の手を借りて貼っていた。
【発明が解決しようとする課題】
【０００３】これは、次のような欠点があった。
（イ）一般に売られている湿布薬は、肩、背中、腰等に一人で貼れない欠点があり、誰かに貼ってもらわなければならないという煩わしさがあった。
本発明は、これらの欠点を解決するためになされたものである。
【課題を解決するための手段】
【０００４】本発明は、湿布薬は身体に貼ると言う固定概念を変えて、肌着（４）等の裏に貼る事によって課題を解決した。
湿布の裏面の基布面（２）に両面テープ等で粘着面（１）を作る。これによって、肩、背中、腰等にあたる部分の肌着（４）等の裏に湿布を事前に貼って置き、肌着を着る。ゆえに、湿布薬を、肩、背中、腰等に一人で貼る事が出来る。
【発明を実施するための最良の形態】
【０００５】本発明品の粘着面（１）を肌着（４）等の裏の肩、背中、腰等にあたる部分に湿布を事前に貼って置き、肌着を着る。
【発明の効果】
【０００６】以下本発明を使用することによる効果を説明する。
（イ）一人で簡単に肩、背中、腰等に湿布薬を貼ることができる。
（ロ）ズレや丸まりが、無くなる。
（ハ）身体に手を触れないので、家族以外の介助の人にも貼る事が出来る。
【図面の簡単な説明】
【図１】本発明の裏側平面図
【図２】本発明の構造図
【図３】本発明の着用時の正面図
【図４】本発明の着用時の断面側面図
【符号の説明】
１粘着面
２基布
３湿布薬面
４肌着
【図１】
2009185013.tif 000003
【図２】
2009185013.tif 000004
【図３】
2009185013.tif 000005
【図４】
2009185013.tif 000006